(57)【特許請求の範囲】
【請求項１】
ＲＦＩＤタグを載持した連続用紙の連続用紙処理システムであって、該連続用紙処理システムは、
前記連続用紙の後処理装置、
前記ＲＦＩＤタグに書き込まれている電子情報を読み取るためのＲＦＩＤリーダ、
前記ＲＦＩＤリーダで読み取った電子情報と照合するための照合情報を保存している記憶手段、
前記ＲＦＩＤリーダで読み取った電子情報と前記照合情報とを照合する照合手段、および
前記連続用紙の搬送方向に見て前記ＲＦＩＤリーダの後方に配設され、前記照合手段による照合結果に基づき、前記ＲＦＩＤタグに電子情報を書き込む訂正用ＲＦＩＤライタ
を有することを特徴とする連続用紙処理システム。
【請求項２】
前記記憶手段は、前記ＲＦＩＤリーダで読み取った電子情報、前記照合手段による照合に使用した前記照合情報、および前記照合手段による照合の結果情報、のうちの少なくともいずれかひとつを、ログ情報として保存することを特徴とする請求項１に記載の連続用紙処理システム。
【請求項３】
前記ＲＦＩＤリーダで読み取った電子情報、前記照合手段による照合に使用した前記照合情報、および前記照合手段による照合の結果情報、のうちの少なくともいずれかひとつを、ログ情報として保存するログ記憶手段を更に有することを特徴とする請求項１に記載の連続用紙処理システム。
【請求項４】
ＲＦＩＤタグを載持し、且つ可視情報が印刷された連続用紙の連続用紙処理システムであって、該連続用紙処理システムは、
前記連続用紙の後処理装置、
前記ＲＦＩＤタグに書き込まれている電子情報を読み取るためのＲＦＩＤリーダ、
前記可視情報を読み取るための可視情報リーダ、
前記ＲＦＩＤリーダで読み取った電子情報と前記可視情報リーダで読み取った電子情報とを照合する照合手段、および
前記連続用紙の搬送方向に見て前記ＲＦＩＤリーダの後方に配設され、前記照合手段による照合結果に基づき、前記ＲＦＩＤタグに電子情報を書き込む訂正用ＲＦＩＤライタ
を有することを特徴とする連続用紙処理システム。
【請求項５】
前記ＲＦＩＤリーダで読み取った電子情報、前記可視情報リーダで読み取った電子情報、前記照合手段による照合の結果情報、のうちの少なくともいずれかひとつを、ログ情報として保存する記憶手段を更に有することを特徴とする請求項４に記載の連続用紙処理システム。
【請求項６】
前記記憶手段は、
前記ＲＦＩＤリーダで読み取った電子情報、前記可視情報リーダで読み取った電子情報、前記照合手段による照合の結果情報、のうちの少なくともいずれかひとつを、ログ情報として保存するログ記憶手段と、
前記ＲＦＩＤリーダで読み取った電子情報及び／又は前記可視情報リーダで読み取った電子情報と照合するための照合情報を保存している照合情報記憶手段とからなり、
前記照合手段は更に、前記ＲＦＩＤリーダで読み取った電子情報及び／又は前記可視情報リーダで読み取った電子情報と、前記照合情報とを照合することを特徴とする請求項５に記載の連続用紙処理システム。
【請求項７】
前記記憶手段は更に、前記ＲＦＩＤリーダで読み取った電子情報及び／又は前記可視情報リーダで読み取った電子情報と照合するための照合情報を保存し、
前記照合手段は更に、前記ＲＦＩＤリーダで読み取った電子情報及び／又は前記可視情報リーダで読み取った電子情報と、前記照合情報とを照合することを特徴とする請求項５に記載の連続用紙処理システム。
【請求項８】
前記照合手段は更に、前記ＲＦＩＤリーダで読み取った電子情報及び／又は前記可視情報リーダで読み取った電子情報と、照合情報とを照合するものであって、
前記照合情報を記憶すると共に、前記ＲＦＩＤリーダで読み取った電子情報、前記可視情報リーダで読み取った電子情報、前記照合手段による照合に使用した前記照合情報、前記照合手段による照合の結果情報、のうちの少なくともいずれかひとつを、ログ情報として保存する記憶手段を更に有することを特徴とする請求項４に記載の連続用紙処理システム。
【請求項９】
前記記憶手段は、
前記照合情報を記憶する照合情報記憶手段と、
前記ＲＦＩＤリーダで読み取った電子情報、前記可視情報リーダで読み取った電子情報、前記照合手段による照合に使用した前記照合情報、前記照合手段による照合の結果情報、のうちの少なくともいずれかひとつを、ログ情報として保存するログ記憶手段とからなることを特徴とする請求項８に記載の連続用紙処理システム。
【請求項１０】
前記可視情報がバーコードまたは二次元コードを含むものであり、且つ前記可視情報リーダがバーコードまたは二次元コードの読み取り機能を有するものであることを特徴とする請求項４乃至９のいずれかに記載の連続用紙処理システム。
【請求項１１】
ＲＦＩＤタグを載持した連続用紙の連続用紙処理システムであって、該連続用紙処理システムは、
前記連続用紙の後処理装置、
前記ＲＦＩＤタグに電子情報を書き込むためのＲＦＩＤライタ、
前記ＲＦＩＤタグから電子情報を読み取るためのＲＦＩＤリーダ、
前記ＲＦＩＤライタで書き込んだ電子情報と前記ＲＦＩＤリーダで読み取った電子情報とを照合する照合手段、および
前記連続用紙の搬送方向に見て前記ＲＦＩＤリーダの後方に配設され、前記照合手段による照合結果に基づき、前記ＲＦＩＤタグに電子情報を書き込む訂正用ＲＦＩＤライタ
を有することを特徴とする連続用紙処理システム。
【請求項１２】
前記ＲＦＩＤライタで前記ＲＦＩＤタグに書き込んだ電子情報、前記ＲＦＩＤリーダで読み取った電子情報、前記照合の結果情報、の少なくともいずれかひとつを、ログ情報として保存する記録手段を更に有することを特徴とする請求項１１に記載の連続用紙処理システム。
【請求項１３】
前記照合手段による照合結果に基づき、前記ＲＦＩＤタグまたはその近傍の前記連続用紙にマーキングを施すマーキング手段を更に有することを特徴とする請求項１乃至１２のいずれかに記載の連続用紙処理システム。
【請求項１４】
前記後処理装置が、前記連続用紙の少なくとも搬送が行われる後処理動作状態と、前記連続用紙の搬送が行われない待機状態とを交互に取りうるものであり、該待機状態において前記ＲＦＩＤライタまたは訂正用ＲＦＩＤライタによる前記ＲＦＩＤタグへの電子情報の書き込み、及び／または前記マーキング手段によるマーキングが行われることを特徴とする請求項１乃至１３のいずれかに記載の連続用紙処理システム。
【請求項１５】
前記後処理装置が折り畳み装置であることを特徴とする請求項１乃至１４のいずれかに記載の連続用紙処理システム。
【請求項１６】
前記連続用紙があらかじめ所定間隔ごとに折り目を有するものであり、該折り目位置を基準として、前記連続用紙上に前記ＲＦＩＤタグが載持されているものであることを特徴とする請求項１乃至１５のいずれかに記載の連続用紙処理システム。
【請求項１７】
前記連続用紙上に前記ＲＦＩＤタグが載持、又は、前記可視情報が印刷されているものであることを特徴とする請求項４乃至１０のいずれかに記載の連続用紙処理システム。
【請求項１８】
前記ＲＦＩＤタグが保持する電子情報及び前記可視情報のいずれか一方は、他方又は前記照合情報の一部又はそのキーコードを含むことを特徴とする請求項４乃至１０および請求項１７のいずれかに記載の連続用紙処理システム。
【発明の詳細な説明】
【技術分野】
【０００１】
本発明は、ＲＦＩＤタグを載持した連続用紙の連続用紙処理システムに関し、より詳細には連続用紙を後処理装置で後処理する際に、ＲＦＩＤタグや可視情報リーダから読み取った情報を照合情報と照合するようにした連続用紙処理システムに関する。
【背景技術】
【０００２】
従来の磁気カードや接触型ＩＣカードに代わり、非接触で情報の読み取り、書き込みが可能なＩＣチップを用いたＲＦＩＤタグが開発されている。これらは情報の読み取りや書き込み時に、ＲＦＩＤタグと読み取り、書き込み装置とを接触させる必要がなく、特に物流管理においてバーコードや二次元コードの代替となることが期待されている。
また、物流管理等ではバーコードや二次元コード（ここではこれらを可視情報と呼ぶ）が多く用いられていることから、記録媒体上にＲＦＩＤタグと並べてこれら可視情報を印刷することも行われる。【０００３】
しかしながら、ＲＦＩＤタグやバーコードは、人間がそれらを見ただけではその内容は読み取れないため、ＲＦＩＤタグやバーコードに正しくないデータが書き込まれていてもすぐには判別出来ないという問題がある。
また、従来技術に於いては可視情報の作成、編集、管理等と、ＲＦＩＤタグに書き込まれる電子データ（以下ＲＦＩＤデータとも称する）の作成、編集、管理等は、別々のアプリケーションで行われることが多く、可視情報の内容と、ＲＦＩＤタグに書き込まれるＲＦＩＤデータの整合性を確保することが困難という問題がある。【０００４】
また、記録媒体への可視情報等の印刷や、それに載持されたＲＦＩＤタグへのＲＦＩＤデータの書き込み等の行程の後に、これらの照合のための行程をさらに別途設けると、全体の作業効率が低下するという問題もあった。
【発明の開示】
【０００５】
本発明は、このような課題を解決するためになされたものであり、その目的とするところは、ＲＦＩＤタグを載持した連続用紙に正しい情報が付与されているか否かを効率的に検証することができる連続用紙処理システムを提供することである。
このような目的を達成するため、本発明の連続用紙処理システムは、ＲＦＩＤタグを載持した連続用紙の連続用紙処理システムであって、前記連続用紙の後処理装置、前記ＲＦＩＤタグに書き込まれている電子情報を読み取るためのＲＦＩＤリーダ、前記ＲＦＩＤリーダで読み取った電子情報と照合するための照合情報を保存している記憶手段、前記ＲＦＩＤリーダで読み取った電子情報と前記照合情報とを照合する照合手段、および前記連続用紙の搬送方向に見て前記ＲＦＩＤリーダの後方に配設され、前記照合手段による照合結果に基づき、前記ＲＦＩＤタグに電子情報を書き込む訂正用ＲＦＩＤライタを有することを特徴とする。
【０００６】
このような構成とすることにより、ＲＦＩＤを載持した連続用紙の後処理、例えば折り畳みを行いながら、ＲＦＩＤリーダで読み取ったＲＦＩＤタグの電子データを照合することができ、別途照合のための行程を設けることなく効率的に照合の作業を進めることができる。
また、ＲＦＩＤタグのデータが正しくないと判断したときに、ＲＦＩＤリーダよりも連続用紙の搬送方向に見て後方に設置した訂正用ＲＦＩＤライタによって正しいデータを上書きすることが可能となる。
このような連続用紙処理システムにおいて好ましくは、前記記憶手段は、前記ＲＦＩＤリーダで読み取った電子情報、前記照合手段による照合に使用した前記照合情報、および前記照合手段による照合の結果情報、のうちの少なくともいずれかひとつを、ログ情報として保存することを特徴とする。
【０００７】
或いは、前記ＲＦＩＤリーダで読み取った電子情報、前記照合手段による照合に使用した前記照合情報、および前記照合手段による照合の結果情報、のうちの少なくともいずれかひとつを、ログ情報として保存するログ記憶手段を更に有することを特徴とする。
このような構成により、ＲＦＩＤタグのデータが正しくないと判断したときには、ログ情報を残すことで、どのＲＦＩＤタグに正しくないデータが書き込まれているかなどを容易に判別することが可能となる。
【０００８】
また上記目的を達成するため、本発明の別の態様の連続用紙処理システムは、ＲＦＩＤタグを載持し、且つ可視情報が印刷された連続用紙の連続用紙処理システムであって、前記連続用紙の後処理装置、前記ＲＦＩＤタグに書き込まれている電子情報を読み取るためのＲＦＩＤリーダ、前記可視情報を読み取るための可視情報リーダ、前記ＲＦＩＤリーダで読み取った電子情報と前記可視情報リーダで読み取った電子情報とを照合する照合手段、および前記連続用紙の搬送方向に見て前記ＲＦＩＤリーダの後方に配設され、前記照合手段による照合結果に基づき、前記ＲＦＩＤタグに電子情報を書き込む訂正用ＲＦＩＤライタを有することを特徴とする。
【０００９】
このような構成とすることにより、ＲＦＩＤを載持した連続用紙の後処理、例えば折り畳みを行いながら、ＲＦＩＤリーダで読み取ったＲＦＩＤタグの電子データと可視情報リーダで読み取った電子情報とを照合することができ、別途照合のための行程を設けることなく効率的に照合の作業を進めることができる。
また、ＲＦＩＤタグのデータが正しくないと判断したときに、ＲＦＩＤリーダよりも連続用紙の搬送方向に見て後方に設置した訂正用ＲＦＩＤライタによって正しいデータを上書きすることが可能となる。
このような連続用紙処理システムにおいて好ましくは、前記ＲＦＩＤリーダで読み取った電子情報、前記可視情報リーダで読み取った電子情報、前記照合手段による照合の結果情報、のうちの少なくともいずれかひとつを、ログ情報として保存する記憶手段を更に有することを特徴とする。
【００１０】
このような構成により、ログ情報に基づき、どのＲＦＩＤタグに正しくないデータが書き込まれているかなどを容易に判別することが可能となる。
より具体的には、前記記憶手段は、前記ＲＦＩＤリーダで読み取った電子情報、前記可視情報リーダで読み取った電子情報、前記照合手段による照合の結果情報、のうちの少なくともいずれかひとつを、ログ情報として保存するログ記憶手段と、前記ＲＦＩＤリーダで読み取った電子情報及び／又は前記可視情報リーダで読み取った電子情報と照合するための照合情報を保存している照合情報記憶手段とからなり、前記照合手段は更に、前記ＲＦＩＤリーダで読み取った電子情報及び／又は前記可視情報リーダで読み取った電子情報と、前記照合情報とを照合することを特徴とする。
【００１１】
或いは具体的には、前記記憶手段は更に、前記ＲＦＩＤリーダで読み取った電子情報及び／又は前記可視情報リーダで読み取った電子情報と照合するための照合情報を保存し、
前記照合手段は更に、前記ＲＦＩＤリーダで読み取った電子情報及び／又は前記可視情報リーダで読み取った電子情報と、前記照合情報とを照合することを特徴とする。
【００１２】
また前記連続用紙処理システムにおいて好ましくは、前記照合手段は更に、前記ＲＦＩＤリーダで読み取った電子情報及び／又は前記可視情報リーダで読み取った電子情報と、照合情報とを照合するものであって、前記照合情報を記憶すると共に、前記ＲＦＩＤリーダで読み取った電子情報、前記可視情報リーダで読み取った電子情報、前記照合手段による照合に使用した前記照合情報、前記照合手段による照合の結果情報、のうちの少なくともいずれかひとつを、ログ情報として保存する記憶手段を更に有することを特徴とする。
【００１３】
より具体的には、前記記憶手段は、前記照合情報を記憶する照合情報記憶手段と、前記ＲＦＩＤリーダで読み取った電子情報、前記可視情報リーダで読み取った電子情報、前記照合手段による照合に使用した前記照合情報、前記照合手段による照合の結果情報、のうちの少なくともいずれかひとつを、ログ情報として保存するログ記憶手段とからなることを特徴とする。
【００１４】
また好ましくは、前記可視情報がバーコードまたは二次元コードを含むものであり、且つ前記可視情報リーダがバーコードまたは二次元コードの読み取り機能を有するものであることを特徴とする。
また上記目的を達成するため、本発明の別の態様の連続用紙処理システムは、ＲＦＩＤタグを載持した連続用紙の連続用紙処理システムであって、前記連続用紙の後処理装置、前記ＲＦＩＤタグに電子情報を書き込むためのＲＦＩＤライタ、前記ＲＦＩＤタグから電子情報を読み取るためのＲＦＩＤリーダ、前記ＲＦＩＤライタで書き込んだ電子情報と前記ＲＦＩＤリーダで読み取った電子情報とを照合する照合手段、および前記連続用紙の搬送方向に見て前記ＲＦＩＤリーダの後方に配設され、前記照合手段による照合結果に基づき、前記ＲＦＩＤタグに電子情報を書き込む訂正用ＲＦＩＤライタを有することを特徴とする。
【００１５】
このような構成とすることにより、上述した効果に加え、ＲＦＩＤタグに何もデータが書き込まれていない場合でも、バーコードや二次元コードやＯＣＲ文字などの可視情報やデータベースから得られる参照データなどをＲＦＩＤに書き込み、その後で再度ＲＦＩＤリーダで正しく書き込まれたかどうかのチェックをすることができる。
また、ＲＦＩＤタグのデータが正しくないと判断したときに、ＲＦＩＤリーダよりも連続用紙の搬送方向に見て後方に設置した訂正用ＲＦＩＤライタによって正しいデータを上書きすることが可能となる。
このような連続用紙処理システムにおいて好ましくは、前記ＲＦＩＤライタで前記ＲＦＩＤタグに書き込んだ電子情報、前記ＲＦＩＤリーダで読み取った電子情報、前記照合の結果情報、の少なくともいずれかひとつを、ログ情報として保存する記録手段を更に有することを特徴とする。
【００１６】
このような構成により、ログ情報に基づき、どのＲＦＩＤタグに正しくないデータが書き込まれているかなどを容易に判別することが可能となる。
また好ましくは、前記照合手段による照合結果に基づき、前記ＲＦＩＤタグまたはその近傍の前記連続用紙にマーキングを施すマーキング手段を更に有することを特徴とする。
このように構成することにより、ＲＦＩＤタグのデータが正しくないと判断したときには、マーキング手段によってそのＲＦＩＤタグや近傍の記録媒体にマーキングを施すことで、どのＲＦＩＤタグに正しくないデータが書き込まれているかなどを容易に判別することが可能となる。
【００１８】
また、さらに好ましくは、前記後処理装置が、前記連続用紙の少なくとも搬送が行われる後処理動作状態と、前記連続用紙の搬送が行われない待機状態とを交互に取りうるものであり、該待機状態において前記ＲＦＩＤライタまたは訂正用ＲＦＩＤライタによる前記ＲＦＩＤタグへの電子情報の書き込み、及び／または前記マーキング手段によるマーキングが行われることを特徴とする。
【００１９】
ＲＦＩＤは電波を媒介してデータの送受信を行っているため、搬送中の連続用紙上のＲＦＩＤタグに大量の電子データを書き込み／読み出しすることには限界がある場合があるが、このように構成することにより、後処理装置を後処理動作状態または待機状態となるように適宜制御し、待機状態においてＲＦＩＤタグへの電子情報の書き込みを行うようにすれば、大量の電子データの書き込み／読み出しが可能となる。
【００２０】
また、好ましくは、前記後処理装置が折り畳み装置であることを特徴とする。
さらに好ましくは、前記連続用紙があらかじめ所定間隔ごとに折り目を有するものであり、該折り目位置を基準として、前記連続用紙上に前記ＲＦＩＤタグが載持されているものであることを特徴とする。
【００２１】
また、前記可視情報を印刷するものにおいて好ましくは、前記連続用紙上に前記ＲＦＩＤタグが載持、又は、前記可視情報が印刷されているものであることを特徴とする。
さらに好ましくは、前記ＲＦＩＤタグが保持する電子情報及び前記可視情報のいずれか一方は、他方又は前記照合情報の一部又はそのキーコードを含むことを特徴とする。
【図面の簡単な説明】
【００２２】
【図１】本発明の一実施例としての折り畳み装置を用いたＲＦＩＤ検証システムを示すブロック図である。
【図２】本発明の照合プログラムの流れを示すフローチャートである。
【図３】本発明の照合プログラムにおける照合方法設定の流れを示すフローチャートである。
【図４】本発明の照合プログラムにおける照合処理の流れを示すフローチャートである。
【図５】本発明の照合プログラムにおける操作画面の一例を示す図である。
【図６】本発明の別の実施態様による折り畳み装置を用いたＲＦＩＤ書き込み・検証システムの要部拡大図である。
【図７】本発明のさらに別の実施態様による折り畳み装置を用いたＲＦＩＤ書き込み・検証・訂正システムの要部拡大図である。
【発明を実施するための最良の形態】
【００２３】
以下、本発明の構成について、図面を参照しながら詳細に説明する。
図１は本発明の一実施例である連続用紙処理システムの説明図である。この連続用紙処理システムでは、連続用紙の折り畳み装置Ｓに、可視情報リーダ１０とＲＦＩＤリーダ１１およびマーカー１２が設置されている。【００２４】
図１において、Ｐが折り畳まれる連続用紙であり、図示しないＲＦＩＤタグが載持されている。尚、ここではＲＦＩＤチップに通信用アンテナを備えたものをＲＦＩＤタグと呼ぶこととする。ＲＦＩＤタグは連続用紙Ｐの表側又は裏側に貼付されていてもよく、また連続用紙Ｐ内に、埋め込まれて（漉き込まれて）いてもよい。さらには連続用紙Ｐが複数枚の用紙が重ね合わされた形態を有し、それらの間にＲＦＩＤが挟まれていてもよい。【００２５】
連続用紙Ｐの両端には搬送方向に見て等間隔にスプロケットホールがあり、トラクタ１は連続用紙Ｐのスプロケットホールにトラクタピンを差し込んだ状態で矢印Ｃの方向に回転することで、連続用紙Ｐを矢印Ｂの方向に一定速度で搬送する。
スインガ２は前記連続用紙Ｐをその内部に搬送しつつ、スインガ支点３を支点として矢印Ｄで示す如く往復揺動する。即ちスインガ２は、連続用紙Ｐの山折りの折り目がスインガ２の先端近傍に来るタイミングでは図１に示す位置に揺動し、逆に谷折りの折り目がスインガ２の先端近傍に来るタイミングでは、スインガ支点３から垂直下方に降ろした線を中心として略左右反転した位置に揺動する。スインガ２はこのような動作を繰り返し、元々の折り目の折り方向にならって連続用紙Ｐをテーブル４上に折り畳みつつ搬送する。【００２６】
テーブル４は折り畳まれた連続用紙Ｐを載置するテーブルで、図示しない降下機構により、該テーブル４上に折り畳まれた連続用紙Ｐの量に応じて自動的に降下する。
パドル５および６はパドル部材を構成する一対のパドルユニットである。パドル５および６には適当な弾性を有するゴム板が取り付けられ、図示しない駆動機構により矢印ＥおよびＦの方向に各々回転駆動されることにより、連続用紙Ｐの折り目部分を押圧する構成となっている。【００２７】
ＲＦＩＤリーダ１１はトラクタ１の上方に設置され、トラクタ１によって搬送される連続用紙Ｐ上のＲＦＩＤタグと電波を介して電子データの送受信を行う。
可視情報リーダ１０は連続用紙Ｐ上に印刷された可視情報を読み取るために設置してある。ここで言う可視情報とは、バーコードや二次元コードなどのコード情報や、ＯＣＲ文字などを指す。またその内容を可視情報データとも称することとする。バーコードや二次元コード、ＯＣＲ文字などをリニアセンサやカメラなどで読みとり、電子データに変換するものを可視情報リーダと呼ぶ。可視情報リーダ１０は図１においては連続用紙Ｐの搬送方向に見てＲＦＩＤリーダ１１の上流にあるが、ＲＦＩＤリーダ１１よりも下流または同位置にあっても良い。【００２８】
マーカー１２は連続用紙Ｐに人間が見て分かるマークを印刷（マーキング）するもので、インクジェットマーカーや、押圧によって朱印を押すようないわゆる判子、スタンプ状のものも使用可能である。マーカー１２は後述するコントローラ１３で実行される照合プログラムの結果で、ＲＦＩＤデータに間違ったデータが書き込まれてあった場合に動作する。
コントローラ１３は通信ケーブル１７によって折り畳み装置Ｓと接続されており、折り畳み装置Ｓの折り畳み動作の開始／停止の制御やＲＦＩＤリーダ１１および可視情報リーダ１０のデータを受信したりする。なお、折り畳み動作とは、連続用紙の後処理動作に相当する。【００２９】
照合プログラム１４はコントローラ１３で実行され、ＲＦＩＤリーダ１１から送られてくるＲＦＩＤデータと可視情報リーダ１０から送られてくる可視情報データを入力として、照合結果をコントローラ１３のディスプレイに表示したり、ログ情報を保存したりする。
図１の照合プログラム１４の流れを示すフローチャートを図２に示す。照合プログラムは、ステップＳＴ１乃至３においてオペレータが予め設定した照合方法設定・参照データ設定・ＲＦＩＤ設定を元に照合処理を行う。ステップＳＴ１の照合方法設定とは、照合を行う方法を設定するもので、詳しくは図３を使って後述する。ステップＳＴ２の参照データ設定とは、ＲＦＩＤデータと照合するデータの種類と位置情報を設定するものである。
参照データの種類にはバーコードや二次元コードやＯＣＲ文字などの可視情報データや、データベースやＣＳＶファイル（カンマ区切りファイル）などの電子情報データがある。例えばバーコードが選択された場合には、コードの種類いわゆるＣｏｄｅ３９やＮＷ−７といったコードも選択する。【００３０】
また、位置情報については、バーコードなどの可視情報が選択された場合に、用紙上のどこに可視情報が印刷されているかの設定を行う。この位置情報は後述する照合処理に於いて、基準となるトリガ信号からのオフセット時間を計算するために必要である。
ステップＳＴ３のＲＦＩＤ設定とは、ＲＦＩＤタグの種類と位置情報を設定するものである。位置情報については、参照データ設定の位置情報と同じくＲＦＩＤタグが用紙上のどこに位置するかを設定する。【００３１】
ステップＳＴ４でコントローラ１３はオペレータから開始の指示を受けると、折り畳み装置Ｓに折り畳み開始命令を送り、以降オペレータからの停止指示があるまで、ステップＳＴ５乃至９により以下の処理を繰り返す。
（１）折り畳み装置Ｓで何らかのエラーがあった場合はオペレータにエラーを通知して終了する。エラーが無ければ次の処理に進む（ステップＳＴ５乃至７）。
（２）折り畳み装置から連続用紙の折り目に同期したトリガ信号を受信すると、後述する照合処理を行う（ステップＳＴ８および９）。【００３２】
図３は図２のフローチャートのステップＳＴ１における照合方法設定Ｆ１を詳細に説明したフローチャートである。
照合方法設定Ｆ１では、まず直接照合か間接照合かを判断する（ステップＳＴ１１）。直接照合とは、ＲＦＩＤデータとバーコードや二次元コードなどの可視情報から得られたデータを比較するものである。一方、間接照合とは、可視情報から得られたデータを元に、データベースやＣＳＶファイルなどから照合情報たる比較データを導き出し、導き出された比較データとＲＦＩＤデータを比較するものである。【００３３】
オペレータによって、間接照合が選択された場合には参照ファイルがどこに存在するかの設定を行う（ステップＳＴ１２）。ここで、参照ファイルとは、データベースやＣＳＶファイルなどを指す。参照ファイルはコントローラ１３のハードディスクなどの記憶装置（記憶手段、照合情報記憶手段）にあってもいいし、コントローラ１３と接続されたネットワーク上の記憶装置（記憶手段、照合情報記憶手段）にあってもよい。参照ファイルは照合処理中に頻繁にアクセスするため、コントローラ１３の主記憶装置（メモリ）にコピーしておくことが望ましい。このため、照合処理を開始する前に参照ファイルを開く処理を行っておくとよい（ステップＳＴ１３）。【００３４】
尚、ＲＦＩＤタグに記憶されたＲＦＩＤデータ、およびバーコード等の可視情報データは、他方または前記参照ファイル中の照合情報のすべてでなくその一部であってもよい。またいわゆるキーコード、レコード番号などと称する、参照ファイル中のデータを特定するためのコード番号であってもよい。
図４は図２のフローチャートの照合処理Ｆ２を詳細に説明したフローチャートである。まず、フローチャートの処理を進めるにあたり、参照データがバーコードなどの可視情報データであった場合、図２で受信したトリガ信号からのオフセット時間を計算する（ステップＳＴ２１）。トリガ信号からのオフセット時間の計算は次の通りである。
参照データオフセット時間＝参照データの位置情報÷記録媒体Ｐの搬送速度【００３５】
また、同じようにＲＦＩＤデータについてもトリガ信号からのオフセット時間を計算する（ステップＳＴ２１）。トリガ信号からのオフセット時間の計算は次の通りである。
ＲＦＩＤオフセット時間＝ＲＦＩＤタグの位置情報÷記録媒体Ｐの搬送速度
折り畳み装置のトリガ信号を受信してから、それぞれ参照データオフセット時間経過後に参照データＤＴａを取得し（ステップＳＴ２２）、ＲＦＩＤオフセット時間経過後にＲＦＩＤデータＤＴｂを取得する（ステップＳＴ２３）。
直接照合の場合（ステップＳＴ２４）は、参照データＤＴａとＲＦＩＤデータＤＴｂの両方が揃ったところで比較を行い（ステップＳＴ３０）、一致しないと判断した場合には、コントローラ１３のディスプレイに一致しなかったことを示すエラー表示（ステップＳＴ２７）を行った後、ログ情報を保存し（ステップＳＴ２８）、コントローラ１３のディスプレイに参照データＤＴａとＲＦＩＤデータＤＴｂおよび照合結果を表示する（ステップＳＴ２９）。【００３６】
参照データＤＴａとＲＦＩＤデータＤＴｂが一致すると判断した場合（ステップＳＴ２６）にはエラー表示を行わずにログ情報の保存（ステップＳＴ２８）とディスプレイへの参照データＤＴａとＲＦＩＤデータＤＴｂおよび照合結果の表示を行う（ステップＳＴ２９）。
ここでいうログ情報とは、参照データＤＴａとＲＦＩＤデータＤＴｂおよび照合結果は勿論のこと、照合を行った時刻や照合を開始して何番目のデータであるかを示す番号のことを指し、それらをコントローラ１３のハードディスクなどの記憶装置（記憶手段、ログ記憶手段）に保存する。【００３７】
なお、ログ情報を記憶する記憶装置は、照合情報である比較データを記憶するものと共用するようにしてもよいし、別の記憶装置を用いるようにしてもよい。
このようにログ情報を随時保存しておくことで、後からでも照合結果を確認することができる。
一方、間接照合の場合（ステップＳＴ２４）は、参照データＤＴａを元に参照ファイルより比較データＤＴｃを取得する（ステップＳＴ２５）。この比較データＤＴｃとＲＦＩＤデータＤＴｂを比較し（ステップＳＴ２６）、一致しないと判断した場合には、コントローラ１３のディスプレイに一致しなかったことを示すエラー表示を行った後（ステップＳＴ２７）、ログ情報を保存し（ステップＳＴ２８）、コントローラ１３のディスプレイに比較データＤＴｃとＲＦＩＤデータＤＴｂおよび照合結果を表示する（ステップＳＴ２９）。【００３８】
比較データＤＴｃとＲＦＩＤデータＤＴｂが一致すると判断した場合にはエラー表示を行わずにログ情報の保存（ステップＳＴ２８）とディスプレイへの比較データＤＴｃとＲＦＩＤデータＤＴｂおよび照合結果の表示（ステップＳＴ２９）を行う。このようにして、一連の照合処理を行う。
図５は本発明における照合プログラム１４の操作画面を示す。操作画面は各種の設定を行うための設定ボタン（２１〜２４）、照合結果を示す結果ウィンドウ（２５）、照合処理の開始／停止を制御するための開始／停止ボタン（２６）および折り畳み装置Ｓの現在の状況を表示するステータス表示（２７）から構成される。【００３９】
ＲＦＩＤの設定ボタン２１を押すと、ＲＦＩＤの設定画面が現れ、図２を用いて説明したＲＦＩＤ設定を行うことができる。また、参照データの設定ボタン２２を押すと、参照データの設定画面が現れ、図２を用いて説明した参照データ設定を行うことができる。折り畳み装置の設定ボタン２３を押すと、折り畳み装置Ｓの搬送速度や連続用紙Ｐの折り目間の距離（いわゆる天地長）を設定できる設定画面が現れる。その設定を元に折り畳み装置Ｓを制御することになる。照合方法の設定ボタン２４を押すと、図３で説明した直接照合／間接照合の選択と、間接照合が選択された場合の参照ファイルの場所を指定する設定画面が現れる。【００４０】
結果ウィンドウ２５は、照合を行った結果とＲＦＩＤデータおよび参照データ、照合を開始して何番目のデータであるかを示す番号を表示する。ＲＦＩＤデータと参照データが同じ結果であった場合には結果ウィンドウ２５の結果欄に○印を表示し、異なる場合には●印を表示する。これにより、オペレータは照合の結果を即座に確認することができる。
開始／停止ボタン２６は、照合処理の開始／停止を指示するボタンである。このボタンを押すことにより、折り畳み装置の折り畳み動作開始／停止および照合処理の開始／停止を制御する。【００４１】
折り畳み装置のステータス表示２７には、折り畳み装置Ｓの現在の状況を表示する。折り畳み装置Ｓでジャムなどの障害が発生したときには、障害内容を表示する。
以上のようにして、連続用紙の折り畳み装置において、連続用紙に載持したＲＦＩＤからＲＦＩＤリーダ１１で読み取ったＲＦＩＤタグの電子データを、連続用紙上に印刷されたバーコードや二次元コード或いはＯＣＲ文字などに基づき可視情報リーダ１０で読み取った可視情報から得られたデータと照合して比較するようにしたので、別途照合のための行程を設けることなく効率的かつ迅速に照合の作業を進めることができる。【００４２】
図６は本発明の別の実施態様を示す図で、図１のＡ部を部分拡大した図である。図１との差異はＲＦＩＤリーダ１１よりも連続用紙Ｐの搬送方向に見て上流側にＲＦＩＤライタ１５を設置していることである。
このような構成とすることにより、連続用紙Ｐに載時されたＲＦＩＤタグに何もデータが書き込まれていない場合においても、ＲＦＩＤライタ１５によって、ＲＦＩＤタグにデータを書き込むことができる。【００４３】
ＲＦＩＤライタ１５はＲＦＩＤリーダ１１と原理は同じで、電波を介してデータの送受信を行うものである。ＲＦＩＤタグに書き込むデータは、データベースやＣＳＶファイルなどの参照ファイルから導き出されたデータであっても良いし、連続用紙Ｐ上に印刷されているバーコードなどの可視情報を可視情報リーダ１０で読み取ったデータであっても良い。【００４４】
ＲＦＩＤリーダ１１をＲＦＩＤライタ１５の下流に設置することで、上述した通りの照合処理を行うことができるため、書き込みから照合処理までの一連の処理を一つのシステムで完結することができる。
また、ＲＦＩＤは電波を媒介してデータの送受信を行っているため、移動中のＲＦＩＤタグとの大量データのやり取りには限界がある。このため、この折り畳み装置Ｓでは、折り畳み動作状態の開始／停止を制御することで、連続用紙Ｐ上のＲＦＩＤタグの位置をＲＦＩＤライタ１５位置で一旦停止させるようにしており、このように折り畳み動作状態の開始／停止を制御することにより、大量のデータをＲＦＩＤタグに書き込むことが可能になる。【００４５】
図７は本発明のさらに別の実施態様を示す図で、図１のＡ部を部分拡大した図である。図１との差異は連続用紙Ｐの搬送方向に見て、マーカー１２の下流に訂正用ＲＦＩＤライタ１６を設置していることである。
訂正用ＲＦＩＤライタ１６は、図６のＲＦＩＤライタ１５と同じくＲＦＩＤタグにデータを書き込むためのものである。この態様に於いては、上述した照合処理を行い、ＲＦＩＤデータと参照データが一致しない結果になった場合に、訂正用ＲＦＩＤライタ１６によって、正しいデータを再度書き込むことが可能である。【００４６】
更に、図６のようにＲＦＩＤライタ１５をＲＦＩＤリーダ１１よりも上流に設置することで、ＲＦＩＤタグへの書き込み・照合処理・訂正という一連の処理を一つのシステムで完結することができる。
以上で本発明の実施態様についての説明を終えるが、本発明は上記各実施態様に限定されるものではない。
【図３】
0004762138.tif 000002
【図１】
0004762138.tif 000003
【図２】
0004762138.tif 000004
【図４】
0004762138.tif 000005
【図５】
0004762138.tif 000006
【図６】
0004762138.tif 000007
【図７】
0004762138.tif 000008